(57)【要約】  【課題】レンズユニットに固有のレンズ情報を，短時間で，簡易かつ正確に，カメラ本体に入力（設定）できるようにする。  【解決手段】カメラによってレンズユニットの対物側が撮影され，その画像データがレンズ情報サーバに送信される（ステップ43，44）。レンズ情報サーバではレンズユニットの対物側の画像に基づいて，レンズユニットの対物側に印字されている文字列が認識される（ステップ62）。認識された文字列にしたがってデータベースに記憶されている認識文字列に対応するレンズ情報が検索される（ステップ63）。検索によって見つけられたレンズ情報がレンズ情報サーバからカメラに送信され，カメラに保存される（ステップ66，48）。【選択図】図７
2014183565.tif 000002
【特許請求の範囲】
【請求項１】
レンズユニットを着脱可能なカメラ本体，および上記カメラ本体にレンズ情報を提供するレンズ情報サーバを備えるレンズ情報登録システムであって，
上記カメラ本体は，
被写体を撮像し画像データとして出力する撮像手段，
上記レンズ情報サーバから送信されるレンズユニットのレンズ情報を受信するレンズ情報受信手段，
上記レンズ情報受信手段によって受信されるレンズ情報を記憶するレンズ情報記憶手段，および
上記レンズ情報記憶手段に記憶されるレンズ情報を用いて上記撮像手段によって出力される画像データを処理する画像処理手段を備え，
上記レンズ情報サーバは，
レンズユニットの対物側を表すレンズユニット画像データを受信する受信手段，
レンズユニットの対物側に印字されている文字列に関連付けて，その文字列によって特定されるレンズユニットのレンズ情報を記憶するレンズ情報データベース，
受信した上記レンズユニットの対物側を表すレンズユニット画像データを用いて，上記レンズユニットの対物側に印字されている文字列を認識する文字列認識手段，
上記文字列認識手段によって認識された文字列に関連付けられている上記レンズユニットのレンズ情報を，上記レンズ情報データベースから検索する検索手段，および
検索によって抽出されたレンズユニットのレンズ情報を上記カメラ本体に送信するレンズ情報送信手段を備える，
レンズ情報登録システム。
【請求項２】
レンズユニットを着脱可能なカメラ本体，および上記カメラ本体にレンズ情報を提供するレンズ情報サーバを備えるレンズ情報登録システムであって，
上記カメラ本体は，
被写体を撮像し画像データとして出力する撮像手段，
レンズユニットの対物側を表すレンズユニット画像データを用いて，上記レンズユニットの対物側に印字されている文字列を認識する文字列認識手段，
上記文字列認識手段によって認識された文字列を表す文字列データを上記レンズ情報サーバに送信する文字列データ送信手段，
上記レンズ情報サーバから送信されるレンズユニットのレンズ情報を受信するレンズ情報受信手段，
上記レンズ情報受信手段によって受信されるレンズ情報を記憶するレンズ情報記憶手段，および
上記レンズ情報記憶手段に記憶されるレンズ情報を用いて上記撮像手段によって出力される画像データを処理する画像処理手段を備え，
上記レンズ情報サーバは，
レンズユニットの対物側に印字されている文字列に関連付けて，その文字列によって特定されるレンズユニットのレンズ情報を記憶するレンズ情報データベース，
上記カメラ本体の文字列データ送信手段から送信される文字列データを受信する文字列データ受信手段，
上記文字列データ受信手段によって受信される文字列データが表す文字列に関連づけられている上記レンズユニットのレンズ情報を，上記レンズ情報データベースから検索する検索手段，および
検索によって抽出されたレンズユニットのレンズ情報を上記カメラ本体に送信するレンズ情報送信手段を備える，
レンズ情報登録システム。
【請求項３】
上記レンズユニットの対物側を表すレンズユニット画像データが，上記カメラ本体の上記撮像手段によって撮像されて出力されるものである，
請求項１または２に記載のレンズ情報登録システム。
【請求項４】
上記レンズユニットの対物側を表すレンズユニット画像データが，上記カメラ本体とは別の撮像装置によって撮像されて出力されるものである，
請求項１または２に記載のレンズ情報登録システム。
【請求項５】
上記文字列認識手段は，
上記レンズユニット画像データを用いて上記レンズユニット画像中の環状縁を検出する環状縁検出手段を含み，
上記環状縁検出手段によって検出されるレンズユニット画像中の環状縁から内側に所定幅分の環状画像範囲を文字列認識処理範囲とする，
請求項１または２に記載のレンズ情報登録システム。
【請求項６】
上記レンズ情報サーバは，
上記文字列認識手段によって認識された文字列に関連付けられているレンズ情報が上記検索手段によって抽出されないときに，認識された文字列を補正する文字列補正手段を備え，
上記検索手段は，上記文字列補正手段によって補正された文字列に関連付けられている上記レンズユニットのレンズ情報を，上記レンズ情報データベースから検索する，
請求項１または２に記載のレンズ情報登録システム。
【請求項７】
上記検索手段は，
上記文字列認識手段によって認識された文字列に関連付られているレンズ情報が上記検索手段によって抽出されないときに，認識された文字列に類似する文字列に関連付けられている一または複数の上記レンズユニットのレンズ情報を，上記レンズ情報データベースから検索する，
請求項１または２に記載のレンズ情報登録システム。
【請求項８】
上記レンズ情報サーバは，
上記文字列認識手段によって認識された文字列に関連付けられているレンズ情報が上記検索手段によって抽出されないときに，認識された文字列を表す文字列データを上記カメラ本体に送信する文字列データ送信手段を備え，
上記カメラ本体は，
上記文字列データ送信手段によって送信される文字列データを受信する文字列データ受信手段，および
上記文字列データ受信手段によって受信される文字列データを記憶する文字列データ記憶手段を備える，
請求項１または２に記載のレンズ情報登録システム。
【請求項９】
上記カメラ本体および上記レンズ情報サーバの少なくとも一方が，上記レンズユニットの対物側を表すレンズユニット画像データを鏡像反転処理する鏡像反転処理手段を備える，
請求項１または２に記載のレンズ情報登録システム。
【請求項１０】
上記レンズ情報データベースは，上記レンズユニット単体のレンズ情報および上記レンズユニットに光学アクセサリを装着したときのレンズ情報を含み，
上記レンズ情報送信手段から送信される上記レンズユニットのレンズ情報が，上記レンズユニット単体のレンズ情報および上記レンズユニットに光学アクセサリを装着したときのレンズ情報の両方を含む，
請求項１または２に記載のレンズ情報登録システム。
【請求項１１】
上記カメラ本体が，
上記レンズユニットのレンズ情報を作成するレンズ情報作成手段，および
上記レンズ情報作成手段によって作成されたレンズ情報を，上記レンズ情報サーバに送信するレンズ情報送信手段を備え，
上記レンズ情報サーバが，
上記カメラ本体から送信されるレンズ情報を受信するレンズ情報受信手段，および
レンズ情報受信手段によって受信されるレンズ情報を，上記レンズ情報データベースに登録する登録手段を備える，
請求項１または２に記載のレンズ情報登録システム。
【請求項１２】
上記レンズ情報作成手段は，上記レンズユニットが装着されたカメラ本体の上記撮像手段によって撮像されるレンズ情報取得用画像を表す画像データに基づいて，上記レンズユニットのレンズ情報を作成するものである，
請求項１１に記載のレンズ情報登録システム。
【請求項１３】
上記レンズ情報作成手段によって作成されるレンズ情報は，上記レンズユニットを用いた撮像によって取得される画像データに対する補正パラメータを含み，
上記レンズ情報作成手段は，補正度合の異なる複数の補正パラメータを作成する，
請求項１２に記載のレンズ情報登録システム。
【請求項１４】
上記レンズ情報取得用画像が外部モニタの表示画面に表示される画像である，
請求項１２に記載のレンズ情報登録システム。
【請求項１５】
上記カメラ本体が，上記外部モニタに表示される上記レンズ情報取得用画像を表す画像データを記憶するレンズ情報取得画像データ記憶手段，および
上記レンズ情報取得用画像データを上記外部モニタに送信するレンズ情報取得用画像データ送信手段を備える，
請求項１２に記載のレンズ情報登録システム。
【請求項１６】
上記カメラ本体は，
画面切替えタイミングデータを生成して上記外部モニタに送信する画面切替えタイミング生成／送信手段，および
上記画面切替えタイミングデータが上記外部モニタに与えられることで上記外部モニタにおいて上記レンズ情報取得用画像の表示の切替が行われたタイミングで自動的に被写体を撮影する撮影タイミング制御手段を備える，
請求項１５に記載のレンズ情報登録システム。
【請求項１７】
上記カメラ本体は，
上記撮像手段によって撮像される被写体像を表示する表示装置，および
上記表示装置に表示される被写体像に，あらかじめ定められるぼかし量を示すぼかし量アシスト枠を重畳して表示する表示制御手段を備える，
請求項１２に記載のレンズ情報登録システム。
【請求項１８】
上記カメラ本体は，
撮像素子シフト機構，および
上記撮像素子シフト機構を強制的に作動させる撮像素子シフト機構作動制御手段を備える，
請求項１２に記載のレンズ情報登録システム。
【請求項１９】
上記カメラ本体は，
上記撮像手段によって撮像される被写体像を表示する表示装置，および
上記表示装置に表示される被写体像に画角調整用マーカを重畳して表示するマーカ表示制御手段を備える，
請求項１２に記載のレンズ情報登録システム。
【請求項２０】
上記カメラ本体は，
キャリブレーション画像を撮像することによって得られるキャリブレーション画像データにしたがって光写り込み分布を検出する光写り込み分布検出手段，および
上記光映り込み分布検出手段によって検出された光写り込み分布にしたがって，上記レンズ情報取得用画像を表す画像データを補正するレンズ情報取得用画像補正手段を備える，
請求項１２に記載のレンズ情報登録システム。
【請求項２１】
レンズユニットを着脱可能なカメラ本体，およびレンズ情報サーバを備えるレンズ情報登録システムにおいて用いられる上記レンズ情報サーバであって，
レンズユニットの対物側を表すレンズユニット画像データを受信する受信手段，
レンズユニットの対物側に印字されている文字列に関連づけて，その文字列によって特定されるレンズユニットのレンズ情報を記憶するレンズ情報データベース，
上記受信手段によって受信されるレンズユニット画像データを用いて，上記レンズユニットの対物側に印字されている文字列を認識する文字列認識手段，
上記文字認識手段によって認識される文字列に関連付けられている上記レンズユニットのレンズ情報を，上記レンズ情報データベースから検索する検索手段，および
検索によって抽出されたレンズユニットのレンズ情報を上記カメラ本体に送信するレンズ情報送信手段を備える，
レンズ情報サーバ。
【請求項２２】
レンズユニットを着脱可能なカメラ本体，およびレンズ情報サーバを備えるレンズ情報登録システムにおいて用いられる上記レンズ情報サーバの動作を制御する方法であって，
上記レンズ情報サーバは，レンズユニットの対物側に印字されている文字列に関連づけて，その文字列によって特定されるレンズユニットのレンズ情報を記憶するレンズ情報データベースを備えるものであり，
レンズユニットの対物側を表すレンズユニット画像データを受信手段によって受信し，
受信したレンズユニット画像データを用いて，上記レンズユニットの対物側に印字されている文字列を，文字列認識手段によって認識し，
認識した文字列に関連付与けられている上記レンズユニットのレンズ情報を，上記レンズ情報データベースから検索手段によって検索し，
検索によって抽出されたレンズユニットのレンズ情報を上記カメラ本体に送信手段によって送信する，
レンズ情報サーバの動作制御方法。
【請求項２３】
レンズユニットを着脱可能なカメラ本体，およびレンズ情報サーバを備えるレンズ情報登録システムにおいて用いられる上記カメラ本体であって，
被写体を撮像し画像データとして出力する撮像手段，
レンズユニットの対物側を表すレンズユニット画像データを用いて，上記レンズユニットの対物側に印字されている文字列を認識する文字列認識手段，
上記文字列認識手段によって認識された文字列を表すデータを上記レンズ情報サーバに送信する文字列データ送信手段，
上記レンズ情報サーバにおいて上記文字列を表すデータを用いて特定されるレンズユニットのレンズ情報を，上記レンズ情報サーバから受信するレンズ情報受信手段，
上記レンズ情報受信手段によって受信されるレンズ情報を記憶するレンズ情報記憶手段，および
上記レンズ情報記憶手段に記憶されるレンズ情報を用いて上記撮像手段によって出力される画像データを処理する画像処理手段を備える，
カメラ本体。
【請求項２４】
レンズユニットを着脱可能なカメラ本体，およびレンズ情報サーバを備えるレンズ情報登録システムにおいて用いられる，上記カメラ本体の動作を制御する方法であって，
上記カメラ本体は，被写体を撮像し画像データとして出力する撮像手段を備えるものであり，
レンズユニットの対物側を表すレンズユニット画像データを用いて，上記レンズユニットの対物側に印字されている文字列を文字列認識手段によって認識し，
認識した文字列を表すデータを上記レンズ情報サーバに送信手段によって送信し，
上記レンズ情報サーバから送信される，上記レンズ情報サーバにおいて上記文字列を表すデータを用いて特定されるレンズユニットのレンズ情報を，受信手段によって受信し，
受信したレンズ情報を記憶するレンズ情報記憶部に記憶し，
記憶されるレンズ情報を用いて上記撮像手段から出力される画像データを処理する，
カメラ本体の動作制御方法。
【発明の詳細な説明】
【技術分野】
【０００１】
この発明は，レンズ情報登録システム，レンズ情報登録システムに用いられるレンズ情報サーバおよびカメラ本体に関する。
【背景技術】
【０００２】
一眼レフカメラやミラーレス一眼カメラに代表されるレンズ交換式カメラでは，カメラ本体に様々なレンズユニットが着脱される。レンズ固有情報（シェーディング情報，歪み情報，Ｆ値，焦点距離など）をレンズユニットに記憶または保持させておき，これをカメラ本体に与えることによって，装着されたレンズユニットに適する信号処理をカメラ本体に行わせることが提案されている（特許文献１，２）。
【先行技術文献】
【特許文献】
【０００３】
【特許文献１】特開２００５−１２４２７号公報
【特許文献２】特開平５−３４１３７１号公報
【発明の概要】
【発明が解決しようとする課題】
【０００４】
しかしながら，レンズユニットにレンズ固有情報を持たせる態様では，当然にカメラ本体とレンズユニットが通信可能に構成される必要がある。また，カメラ本体とレンズユニットとの間にマウントアダプタを設けることにより，マウントアダプタを介してレンズユニットをカメラ本体に取り付ける態様では，レンズユニットが持つレンズ固有情報をカメラ本体に与えることができず，レンズユニットに適する信号処理をカメラ本体において実現することができない。ユーザがカメラ本体を操作してレンズ固有情報をカメラ本体に設定することも考えられるが，レンズ固有情報の量が多く，ユーザにとって負担が大きい。
【０００５】
この発明は，レンズユニットに固有のレンズ情報を，短時間で，簡易かつ正確に，カメラ本体に入力（設定）できるようにすることを目的とする。
【課題を解決するための手段】
【０００６】
この発明によるレンズ情報登録システムは，レンズユニットを着脱可能なカメラ本体，および上記カメラ本体にレンズ情報を提供するレンズ情報サーバを備える。
【０００７】
上記カメラ本体は，被写体を撮像し画像データとして出力する撮像手段，上記レンズ情報サーバから送信されるレンズユニットのレンズ情報を受信するレンズ情報受信手段，上記レンズ情報受信手段によって受信されるレンズ情報を記憶するレンズ情報記憶手段，および上記レンズ情報記憶手段に記憶されるレンズ情報を用いて上記撮像手段によって出力される画像データを処理する画像処理手段を備える。
【０００８】
上記レンズ情報サーバは，レンズユニットの対物側（前面，カメラ本体に接続される側と反対側）を表すレンズユニット画像データを受信する受信手段，レンズユニットの対物側に印字されている文字列に関連づけて，その文字列によって特定されるレンズユニットのレンズ情報を記憶するレンズ情報データベース，受信した上記レンズユニットの対物側を表すレンズユニット画像データを用いて，上記レンズユニットの対物側に印字されている文字列を認識する文字列認識手段，上記文字列認識手段によって認識された文字列に関連付けられている上記レンズユニットのレンズ情報を，上記レンズ情報データベースから検索する検索手段，検索によって抽出されたレンズユニットのレンズ情報を上記カメラ本体に送信するレンズ情報送信手段を備える。
【０００９】
カメラ本体に装着されるレンズユニットの対物側（前面）には，一般に，メーカ名，製品名，焦点距離，Ｆ値，口径等を表す文字列が印字されている。この発明によると，レンズ情報サーバにおいて，レンズユニットの対物側を表すレンズユニット画像データを用いてそのレンズユニットの対物側に印字されている文字列が認識され，その文字列によって特定されるレンズユニットのレンズ情報がレンズ情報データベースから検索される。検索によって抽出されたレンズ情報がレンズ情報サーバからカメラ本体に送信される。レンズ情報サーバからのレンズ情報はカメラ本体において受信されかつ記憶される。記憶されたレンズ情報は上記カメラ本体において画像データの信号処理に用いられる。
【００１０】
この発明によると，レンズユニットの対物側を表す画像データにしたがって，そのレンズユニットのレンズ情報がレンズ情報サーバからカメラ本体に送信されて，カメラ本体に記憶される。レンズユニットに固有のレンズ情報を，短時間で，簡易かつ正確に，カメラ本体に設定することができる。
【００１１】
レンズユニットの対物側に印字されている文字列の認識を，上記レンズ情報サーバに代えて上記カメラ本体において実行するようにしてもよい。文字列認識をカメラ本体が行う，この発明によるレンズ情報登録システムでは，上記カメラ本体は，被写体を撮像し画像データとして出力する撮像手段，レンズユニットの対物側を表すレンズユニット画像データを用いて，上記レンズユニットの対物側に印字されている文字列を認識する文字列認識手段，上記文字列認識手段によって認識された文字列を表す文字列データを上記レンズ情報サーバに送信する文字列データ送信手段，上記レンズ情報サーバから送信されるレンズユニットのレンズ情報を受信するレンズ情報受信手段，上記レンズ情報受信手段によって受信されるレンズ情報を記憶するレンズ情報記憶手段，および上記レンズ情報記憶手段に記憶されるレンズ情報を用いて上記撮像手段によって出力される画像データを処理する画像処理手段を備える。上記レンズ情報サーバは，レンズユニットの対物側に印字されている文字列に関連付けて，その文字列によって特定されるレンズユニットのレンズ情報を記憶するレンズ情報データベース，上記カメラ本体の文字列データ送信手段から送信される文字列データを受信する文字列データ受信手段，上記文字列データ受信手段によって受信される文字列データが表す文字列に関連付けられている上記レンズユニットのレンズ情報を，上記レンズ情報データベースから検索する検索手段，および検索によって抽出されたレンズユニットのレンズ情報を上記カメラ本体に送信するレンズ情報送信手段を備える。
【００１２】
上記レンズユニットの対物側を表すレンズユニット画像データは，上記カメラ本体の上記撮像手段によって撮像されて出力されるものであってもよい。上記レンズユニットの対物側を表す交換レンズユニット画像データは上記カメラ本体とは別の撮像装置によって撮像されて出力されるものであってもよい。
【００１３】
一実施態様では，上記文字列認識手段は，上記レンズユニット画像データを用いて上記レンズユニットの環状縁（エッジ）を検出する環状縁検出手段を含み，上記環状縁検出手段によって検出されるレンズユニットの環状縁から内側に所定幅分の環状画像範囲を文字列認識処理範囲とする。レンズユニットの対物側の文字列の印字範囲を文字列認識範囲とすることで，文字列の認識精度を向上することができる。
【００１４】
好ましくは，上記レンズ情報サーバは，上記文字列認識手段によって認識された文字列に関連付けられているレンズ情報が上記検索手段によって抽出されないときに，認識された文字列を補正する文字列補正手段を備え，上記検索手段は，上記文字列補正手段によって補正された文字列に関連付けられている上記レンズユニットのレンズ情報を，上記レンズ情報データベースから検索する。たとえば，レンズユニットに印字されている文字列に含まれる文字のうちの数文字が消えてしまっている場合であってもレンズユニットを特定することができる。文字列補正手段による文字列の補正は脱落文字を補完することを含む。たとえば，焦点距離を表す「mm」のうちの一方の「m」がレンズユニットから消えてしまっており「mm」でなく「m」が文字列として認識された場合に，文字列補正手段によって「m」が「mm」に補正（文字補完）される。
【００１５】
他の実施態様では，上記検索手段は，上記文字列認識手段によって認識された文字列に関連付けられているレンズ情報が上記検索手段によって抽出されないときに，認識された文字列に類似する文字列に関連付けられている一または複数の上記レンズユニットのレンズ情報を，上記レンズ情報データベースから検索する。認識された文字列から一の交換レンズユニットを特定することができない場合であっても，上記レンズユニットのレンズ情報をカメラ本体に送信することができる可能性が高められる。
【００１６】
認識された文字列に関連付けられているレンズ情報がレンズ情報データベースに登録されていない（未登録）の場合には，認識された文字列のみをカメラ本体に登録してもよい。この場合，上記レンズ情報サーバは，上記文字列認識手段によって認識された文字列に関連付けられているレンズ情報が上記検索手段によって抽出されないときに，認識された文字列を表す文字列データを上記カメラ本体に送信する文字列データ送信手段を備え，上記カメラ本体は，上記文字列送信手段によって送信される文字列データを受信する文字列データ受信手段，および上記文字列データ受信手段によって受信される文字列データを記憶する文字列データ記憶手段を備える。
【００１７】
一実施態様では，上記カメラ本体および上記レンズ情報サーバの少なくとも一方が，上記交換レンズユニットの対物側を表すレンズユニット画像データを鏡像反転処理する鏡像反転処理手段を備える。鏡に映ったレンズユニットを撮影することで得られる，鏡像反転したレンズユニット画像データを文字列認識処理に用いることができる。たとえば，レンズ情報を取得すべきレンズユニットを装着したカメラ本体を用いて，鏡に映ったレンズユニットの対物側を撮影することによって，鏡像反転したレンズユニットの対物側を表すレンズユニット画像データが得られる。この鏡像反転したレンズユニット画像データをさらに鏡像反転処理することで，元の（鏡像反転していない）レンズユニットの対物側を表すレンズユニット画像データが得られる。
【００１８】
上記レンズ情報データベースには，上記レンズユニット単体のレンズ情報のみならず，上記レンズユニットに光学アクセサリ（テレコンバータレンズ，ワイドコンバータレンズなど）を装着したときのレンズ情報を含んでもよい。この場合には，上記レンズ情報送信手段から送信される上記レンズユニットのレンズ情報が，上記レンズユニット単体のレンズ情報および上記レンズユニットに光学アクセサリを装着したときのレンズ情報の両方を含む。
【００１９】
カメラ本体のユーザがカメラ本体を用いて作成したレンズ情報を，上記レンズ情報データベースに登録することができるようにしてもよい。あらかじめ用意されるレンズ情報に加えて，ユーザの好みを反映したレンズ情報をレンズ情報データベースに登録することでき，たとえば，ユーザが複数のカメラ本体を所持している場合に，その複数のカメラ本体に，ユーザが作成した同じレンズ情報を登録することが可能になる。この場合，上記カメラ本体が，上記レンズユニットのレンズ情報を作成するレンズ情報作成手段，および上記レンズ情報作成手段によって作成されたレンズ情報を，上記レンズ情報サーバに送信するレンズ情報送信手段を備え，上記レンズ情報サーバが，上記カメラ本体から送信されるレンズ情報を受信するレンズ情報受信手段，およびレンズ情報受信手段によって受信されるレンズ情報を，上記レンズ情報データベースに登録する登録手段を備えるものとなる。
【００２０】
上記レンズ情報作成手段は，好ましくは，上記レンズユニットが装着されたカメラ本体の上記撮像手段によって撮影されるレンズ情報取得用画像を表す画像データに基づいて，上記レンズユニットのレンズ情報を作成する。
【００２１】
上記レンズ情報作成手段によって作成されるレンズ情報は，上記レンズユニットを用いた撮影によって取得される画像データに対する補正パラメータを含み，上記レンズ情報作成手段は補正度合の異なる複数の補正パラメータを作成するものであってもよい。たとえば，ブランケット撮影によって補正度合の異なる複数の補正パラメータをそれぞれ適用して画像補正した複数の補正画像を表す画像データを取得することができる。
【００２２】
一実施態様では，上記レンズ情報取得用画像として外部モニタの表示画面に表示される画像が用いられる。
【００２３】
他の実施態様では，上記カメラ本体が，上記外部モニタに表示される上記レンズ情報取得用画像を表す画像データを記憶するレンズ情報取得画像データ記憶手段，および上記レンズ情報取得用画像データを上記外部モニタに送信するレンズ情報取得用画像データ送信手段を備える。上記カメラ本体から外部モニタに与えられるレンズ情報取得用画像データにしたがって，外部モニタにレンズ情報取得用画像が表示される。
【００２４】
上記カメラ本体は，画面切替えタイミングデータを生成して上記外部モニタに送信する切替えタイミング生成／送信手段，および上記画面切替えタイミングデータが上記外部モニタに与えられて上記外部モニタにおいて上記レンズ情報取得用画像の表示の切替が行われたタイミングで自動的に被写体を撮影する撮影タイミング制御手段を備えてもよい。複数種類のレンズ情報取得用画像をカメラ本体で撮影する場合に，レンズ情報取得用画像の表示の切換えと撮影とを同期して行うことができるので，レンズ情報取得用画像の撮影の手間を減らすことができる。
【００２５】
外部モニタにレンズ情報取得用画像を表示してその画像を撮影する場合，モアレが発生してしまうことがある。好ましくは，上記カメラ本体は，上記撮像手段によって撮像される被写体像を表示する表示装置，および上記表示装置に表示される被写体像に，あらかじめ定められるぼかし量を示すぼかし量アシスト枠を重畳して表示する表示制御手段を備える。適切なぼかし量のぼけ画像の取得がアシストされ，外部モニタに表示されるレンズ情報取得画像を撮影するときのモアレの発生を抑制することができる。
【００２６】
上記カメラ本体が撮像素子シフト機構を備えるものであれば，上記撮像素子シフト機構を強制的に作動させることでモアレを発生を抑制してもよい。
【００２７】
他の実施態様では，上記カメラ本体は，上記撮像手段によって撮像される被写体像を表示する表示装置，および上記表示装置に表示される被写体像に画角調整用マーカを重畳して表示するマーカ表示制御手段を備える。外部モニタに表示されるレンズ情報取得用画像を撮影するときにレンズ情報取得用画像を適切に撮影することができる。
【００２８】
さらに他の実施態様では，上記カメラ本体は，キャリブレーション画像（たとえば黒画像）を撮影することによって得られるキャリブレーション画像データにしたがって光写り込み量を検出する光写り込み量検出手段，および上記光映り込み量検出手段によって検出された光写り込み量にしたがって，上記レンズ情報取得用画像を表す画像データを補正するレンズ情報取得用画像補正手段を備える。外部モニタに外光が入射することでモニタ表面に明るさのムラが生じているときに，その外光に起因する明るさのムラが除去される。異常な値のレンズ情報が取得されてしまうことが防止される。
【００２９】
この発明は，上述したレンズ情報登録システムに用いられるレンズ情報サーバおよびカメラ本体，ならびにこれらの動作制御方法も提供する。
【図面の簡単な説明】
【００３０】
【図１】第１実施例のレンズ情報登録システムの全体的構成を示す。
【図２】第１実施例の変形例のレンズ情報登録システムの全体的構成を示す。
【図３】交換レンズユニットを示す斜視図である。
【図４】第１実施例のレンズ情報登録システムのカメラ本体およびレンズ情報サーバの電気的構成を示すブロック図である。
【図５】レンズ情報データベースに記憶されているレンズ固有情報を示す。
【図６】（Ａ）はレンズ特性データを，（Ｂ）はレンズ特性補正データを，（Ｃ）は補正後のレンズ特性データを，それぞれ示す。
【図７】第１実施例のレンズ情報登録システムのカメラ本体およびレンズ情報サーバの処理を示すフローチャートである。
【図８】第２実施例のレンズ情報登録システムのカメラ本体およびレンズ情報サーバの電気的構成を示すブロック図である。
【図９】第２実施例のレンズ情報登録システムのカメラ本体およびレンズ情報サーバの処理を示すフローチャートである。
【図１０】第３実施例のレンズ情報登録システムのカメラ本体およびレンズ情報サーバの電気的構成を示すブロック図である。
【図１１】交換レンズユニットの前面画像を示す。
【図１２】第３実施例のレンズ情報登録システムのカメラ本体およびレンズ情報サーバの処理を示すフローチャートである。
【図１３】第４実施例のレンズ情報登録システムの全体的構成を示す。
【図１４】第４実施例のレンズ情報登録システムのカメラ本体およびレンズ情報サーバの電気的構成を示すブロック図である。
【図１５】第５実施例のレンズ情報登録システムの全体的構成を示す。
【図１６】第５実施例のレンズ情報登録システムのカメラ本体およびレンズ情報サーバの電気的構成を，カメラ付き携帯電話とともに示すブロック図である。
【図１７】第５実施例のレンズ情報登録システムのカメラ本体およびレンズ情報サーバの処理を，カメラ付き携帯電話の処理とともに示すフローチャートである。
【図１８】レンズ情報データベースに記憶されているレンズ固有情報の他の例を示す。
【図１９】第６実施例のレンズ情報登録システムの全体的構成を示す。
【図２０】第６実施例のレンズ情報登録システムのカメラ本体およびレンズ情報サーバの電気的構成を示すブロック図である。
【図２１】第６実施例のレンズ情報登録システムのカメラ本体およびレンズ情報サーバの処理を示すフローチャートである。
【図２２】第６実施例のレンズ情報登録システムのカメラ本体およびレンズ情報サーバの電気的構成を，外部モニタとともに示すブロック図である。
【図２３】外部モニタの表示の様子と，カメラ本体が備える表示モニタの表示の様子を示す。
【図２４】第６実施例の変形例のレンズ情報登録システムのカメラ本体およびレンズ情報サーバの電気的構成を，外部モニタとともに示すブロック図である。
【図２５】第７実施例のレンズ情報登録システムのカメラ本体およびレンズ情報サーバの電気的構成を，外部モニタとともに示すブロック図である。
【図２６】画像切替タイミング信号の出力タイミングと撮影タイミングとの関係を示す。
【図２７】第８実施例のレンズ情報登録システムのカメラ本体およびレンズ情報サーバの電気的構成を，外部モニタとともに示すブロック図である。
【図２８】画像切替タイミング信号の出力タイミングと，キャリブレーション画像およびレンズ特性取得用画像の撮影タイミングと，キャリブレーション回路による処理の流れとを示す。
【図２９】外部モニタに位置合わせ用マーカが表示され，カメラ本体の表示モニタに位置合わせ用マーカとともにガイド枠が表示されている様子を示す。
【図３０】（Ａ）はレンズ特性データを，（Ｂ）はレンズ特性補正データを，（Ｃ）は補正後のレンズ特性データを，それぞれ示す。
【図３１】（Ａ）はレンズ特性データを，（Ｂ）はレンズ特性補正データを，（Ｃ）は補正後のレンズ特性データを，それぞれ示す。
【発明を実施するための形態】
【実施例１】
【００３１】
図１は第１実施例のレンズ情報登録システムの全体的構成を示している。
【００３２】
第１実施例のレンズ情報登録システムは，ネットワーク（インターネット，ＬＡＮなど）４を介して相互に通信可能に接続されたレンズ交換式カメラ本体（以下，カメラ本体１という）１と，レンズ情報サーバ２とを含む。カメラ本体１はデジタル一眼レフカメラまたはミラーレス一眼カメラであり，複数種類の交換式のレンズユニット（以下，レンズユニットという）を装着することができる。図１には一の種類のレンズユニット12が装着されたカメラ本体１が示されている。
【００３３】
カメラ本体１は，上述したように複数種類のレンズユニットを装着可能であり，レンズユニット12とは異なるレンズユニット３も装着することができる。以下に詳細に説明するように，レンズ情報登録システムでは，レンズユニット３に固有のレンズ情報（詳細は後述する）が，ネットワーク４を通じてレンズ情報サーバ２からカメラ本体１にダウンロードされ，カメラ本体１に登録（記憶）される。
【００３４】
図２は第１実施例の変形例のレンズ情報登録システムの全体的構成を示している。図２に示すレンズ情報登録システムは，ネットワーク４を介してレンズ情報サーバ２とパーソナル・コンピュータ５とが通信可能に接続され，パーソナル・コンピュータ５とカメラ本体１とが通信ケーブル（図示略）等を用いて接続される点が図１に示すレンズ情報登録システムと異なる。レンズユニット３に固有のレンズ情報は，レンズ情報サーバ２からネットワーク４を通じてパーソナル・コンピュータ５にダウンロードされ，パーソナル・コンピュータ５からカメラ本体１に与えられる。
【００３５】
図１に示すようにカメラ本体１とレンズ情報サーバ２とをネットワーク４を介して直接に接続してもよいし，図２に示すようにカメラ本体１とレンズ情報サーバ２との間にパーソナル・コンピュータ５を介在させてもよい。以下に説明するレンズ情報登録システムは，図１に示す態様，すなわちカメラ本体１とレンズ情報サーバ２とをネットワーク４を介して直接に接続する態様を前提にして説明する。
【００３６】
図３はレンズユニット３の斜視図であり，レンズユニット３をその前面側（対物側）から示している。
【００３７】
レンズユニット３は，上述したようにカメラ本体１と着脱可能なもので，望遠レンズ，広角レンズ，標準レンズ，ズームレンズ，単焦点レンズ等が含まれる。レンズユニット３は円筒状の鏡筒３Ａを備え，その内部にレンズ３Ｂが固定されている。レンズユニット３の後面側（背面側）には，カメラ本体１との接続に用いられるマウント部（図示略）が設けられている。
【００３８】
レンズユニット３をその前面側（対物側）から見ると，レンズ３Ｂの外側周囲に，文字列が印字されている環状範囲３Ｃが存在する。図３に示すレンズユニット３には，レンズユニット３のメーカー名（ABCD），レンズ３Ｂの種類（ASPHERICAL LENS），レンズ３Ｂのコーティング名（SUPER EBC），レンズユニット３のマウント名（XF），焦点距離（18-55mm），口径比（1:2.8-4）などが印字されている。以下に詳述するように，レンズユニット３をその前面側から見たときに視認される文字列が，レンズユニット３の識別（特定）に用いられる。
【００３９】
図４はレンズユニット12が装着されたカメラ本体１およびレンズ情報サーバ２の電気的構成，ならびにレンズユニット３を示すブロック図である。分かりやすくするために，カメラ本体１に装着されているレンズユニット12を，以下「撮影用レンズ12」と呼ぶ。レンズ情報を登録すべきレンズユニット３を，以下「登録したいレンズ３」と呼ぶ。
【００４０】
カメラ本体１は信号処理装置11を含む。信号処理装置11によってカメラ本体１の全体動作が統括的に制御される。
【００４１】
カメラ本体１は操作部材16を備えている。操作部材16は電源ボタン，モード設定ダイアル，二段ストローク・タイプのシャッタ・レリーズ・ボタン等を含み，操作部材16から出力される操作信号は信号処理装置11に入力する。モード設定ダイアルによって設定されるモードには，撮影モード，再生モードなどがある。撮影モードの中にはさらに後述するレンズ情報登録モードなどがある。
【００４２】
カメラ本体１に装着された撮影用レンズ12を介して，被写体像を表す光線束がカメラ本体１に設けられた撮像素子（ＣＣＤ，ＣＭＯＳなど）13の受光面に入射する。撮像素子13の受光面上に被写体像が結像し，被写体像を表す映像信号が撮像素子13から出力する。撮像素子13からの映像信号は信号処理装置11において所定の信号処理（白バランス補正など）が行われた後，デジタル・データに変換されて表示モニタ15に与えられる。表示モニタ15には被写体像（ライブビュー，スルー画）が表示される。
【００４３】
シャッタ・レリーズ・ボタンが押下されると，撮影用レンズ12が駆動されて焦点合わせが行われ，被写体が撮影される。撮像素子13によって撮像された被写体像を表す映像信号は画像データ生成回路18に与えられ，ここで被写体像を表す画像データが作成される。また，被写体の撮影が行われたときのシャッタスピード，絞り値などを含むタグ・データが画像タグ生成回路19において生成される。被写体像を表す画像データに信号処理装置11においてデータ圧縮等の所定の処理が行われ，圧縮画像データとタグ・データを含む画像ファイルが画像記録媒体14に記録される。
【００４４】
操作部材16において再生モードが設定されると，画像記録媒体14に記録されている画像ファイルが読み出され，信号処理装置11において伸張処理等が行われた後，表示モニタ15に与えられる。表示モニタ15に再生画像が表示される。
【００４５】
カメラ本体１はさらに，レンズ機種データ，レンズ特性データおよびレンズ特性補正データを記憶したレンズ情報記憶装置17と，レンズ特性補正回路22とを備えている。詳細は後述するが，レンズ情報記憶装置17に記憶されるレンズ機種データ，レンズ特性データおよびレンズ特性補正データは，カメラ本体１に装着されるレンズユニットに固有のレンズ情報である。これらのデータを用いて，レンズ特性補正回路22は画像データ生成回路18において生成される画像データを補正することができる。
【００４６】
カメラ本体１はさらに外部通信回路20を備えている。外部通信回路20を通してカメラ本体１とレンズ情報サーバ２とが接続される。
【００４７】
レンズ情報サーバ２は，レンズ情報データベース31，外部通信回路32，文字列認識回路33および検索回路34を備えている。外部通信回路32がカメラ本体１の外部通信回路20との間でデータを送受信する。レンズ情報データベース31，文字列認識回路33および検索回路34の詳細は後述する。
【００４８】
図５はレンズ情報データベース31に記憶されているレンズ固有情報31ａを示している。
【００４９】
レンズ情報データベース31には，多数のレンズユニットのそれぞれについてのレンズ固有情報31ａが記憶されている。
【００５０】
レンズ固有情報31ａには，レンズユニットの前面に印字されている文字列を表すデータに，レンズユニットのレンズ情報（レンズ機種データ，レンズ特性データおよびレンズ特性補正データ）が関連付けられて記憶されている。レンズ機種データは，レンズ機種名，焦点距離，開放Ｆ値，メーカ名等を含む。レンズ特性データは，輝度シェーディング・データ，色シェーディング・データ，ディストーション・データ，収差データ等を含む。レンズ特性補正データは，輝度シェーディング補正データ，色シェーディング補正データ，ディストーション補正データ，収差補正データ等を含む。
【００５１】
図６を参照して，レンズ特性データおよびレンズ特性補正データの一例を説明する。図６（Ａ）は輝度シェーディングに関するレンズ特性データ（輝度シェーディング・データ）を，図６（Ｂ）は輝度シェーディングに関するレンズ特性補正データ（輝度シェーディング補正データ）をそれぞれ示している。図６（Ｃ）は輝度シェーディング・データおよび輝度シェーディング補正データによって作成される補正後レンズ特性補正データ（補正後輝度シェーディング・データ）を示している。
【００５２】
レンズユニットが備えるレンズはその全面にわたって一様な輝度特性を持つことはなく，レンズの場所（典型的にはレンズの中心とその周辺）によって異なる輝度特性を有する。
【００５３】
輝度シェーディング・データ（図６（Ａ））は，レンズユニットが備えるレンズが有する輝度特性（輝度ムラ）を表すデータである。図６（Ａ）の上段左側の３次元グラフＤ１はレンズユニットが備えるレンズの輝度シェーディング・データを立体的に示している。３次元グラフＤ１の右側に示す２次元グラフＤ２は，左側の３次元グラフＤ１に対応するもので，横軸をレンズの垂直位置，縦軸を輝度特性値とする２次元グラフによってレンズの輝度シェーディング・データを示すものである。３次元グラフＤ１の下側の２次元グラフＤ３も３次元グラフＤ１に対応するもので，横軸をレンズの水平位置，縦軸を輝度特性値とする２次元グラフによってレンズの輝度シェーディング・データを示すものである。さらに図６（Ａ）の下段は，上段に示す輝度シェーディング・データを数値によって表すテーブルＤ４を示している（テーブルＤ４では行数および列数が簡略化されている）。図６（Ａ）に示す輝度シェーディング・データはレンズの中心位置の輝度特性値を１として正規化されており，周辺位置の輝度特性値が中心位置の輝度特性値よりも落ち込んでいる様子を表している。
【００５４】
図６（Ｂ）は輝度シェーディング補正データを示すもので，上段に輝度シェーディング補正データの３次元グラフＤ５，横軸を垂直位置とする輝度シェーディング補正データの２次元グラフＤ６，および横軸を水平位置とする輝度シェーディング補正データの２次元グラフＤ７が示されている。図６（Ｂ）の下段に，上段に示す輝度シェーディング補正データを数値によって表すテーブルＤ８が示されている。図６（Ｂ）に示す輝度シェーディング補正データは，レンズの中心位置の輝度特性値を低め，かつ周辺位置の輝度特性値を高める補正データ（ゲイン値）を表している。
【００５５】
図６（Ｃ）は，図６（Ａ）に示す輝度シェーディング・データに図６（Ｂ）に示す輝度シェーディング補正データを乗算することによって得られる，補正後の輝度シェーディング・データを示している。図６（Ｃ）にも，上段に補正後の輝度シェーディング・データの３次元グラフＤ９，横軸を垂直位置とする２次元グラフＤ10，および横軸を水平位置とする２次元グラフＤ11が示され，下段には上段に示す補正後の輝度シェーディング・データを数値によって表すテーブルＤ12が示されている。図６（Ａ）に示す輝度シェーディング・データに図６（Ｂ）に示す輝度シェーディング補正データを乗算することによって，レンズの中心位置から周辺位置に至る全面においてフラットな輝度特性値が実現されることを表している。
【００５６】
上述したように，カメラ本体１が備えるレンズ情報記憶装置17に，レンズ情報（レンズ機種データ，レンズ特性データおよびレンズ特性補正データ）が記憶されており，レンズ特性補正回路22においてレンズ特性補正データを用いて画像データ生成回路18において生成される画像データが補正される。カメラ本体１に装着されている撮影用レンズ12が図６（Ａ）に示すようなレンズ特性を持つものであったとしても，図６（Ｂ）に示すレンズ特性補正データを画像データに乗算することで，撮影用レンズ12があたかも図６（Ｃ）に示すようなフラットなレンズ特性を有しているかのような画像データを得ることができる。
【００５７】
図７は，上記レンズ情報サーバ２からカメラ本体１にレンズ情報をダウンロードするときのカメラ本体１とレンズ情報サーバ２の処理の流れを示すフローチャートである。ここでは，カメラ本体１に撮影用レンズ12が装着されており，撮影用レンズ12とは別個の登録したいレンズ３についてのレンズ情報をダウンロードする場合を説明する。
【００５８】
はじめにカメラ本体１が備える操作部材（モード選択ダイアル）16によってレンズ情報登録モードが設定される（ステップ41）。カメラ本体１の表示モニタ15にライブビュー（スルー画）が表示される（ステップ42）。
【００５９】
登録したいレンズ３の前面の撮影が行われる（ステップ43）。カメラ本体１のレンズ情報記憶装置17に撮影用レンズ12のレンズ情報が記憶されている場合には，撮影によって得られる画像データに対してレンズ特性補正回路22において上述した補正処理が行われる。
【００６０】
レンズ前面を表す画像データは，外部通信回路20およびネットワーク４を通じてカメラ本体１からレンズ情報サーバ２に送信される（ステップ44）。レンズ前面を表す画像データはレンズ情報サーバ２の外部通信回路32によって受信される（ステップ61）。
【００６１】
レンズ前面を表す画像データはレンズ情報サーバ２が備える文字列認識回路33に与えられ，ここでレンズ前面画像に含まれる文字およびその順序（すなわち文字列）が認識される（ステップ62）。
【００６２】
認識された文字列を表すデータは検索回路34に与えられる。検索回路34はレンズ情報データベース31に記憶されている複数のレンズ固有情報31ａ（図５）の中から，認識された文字列と同一の文字列を表すデータが関連付けられているレンズ情報を検索する（ステップ63）。
【００６３】
認識された文字列と同一の文字列を表すデータが関連付けられているレンズ情報が見つかった場合（ステップ64でYES），そのレンズ情報（レンズ機種データ，レンズ特性データおよびレンズ特性補正データ）が検索回路34によってレンズ情報データベース31から読み出され，レンズ情報サーバ２からカメラ本体１に送信される（ステップ66）。認識された文字列と同一の文字列を表すデータが関連付けられているレンズ情報が見つからなかった場合（ステップ64でNO），所定の終了処理が行われる（ステップ65）。
【００６４】
レンズ情報を受信したカメラ本体１では，受信したレンズ情報を表示モニタ15に表示する（レンズ機種名などのレンズ情報の一部の表示でもよい）（ステップ45）。ユーザが操作部材16を用いて，受信したレンズ情報を登録する旨をカメラ本体１に指示すると，受信したレンズ情報がレンズ情報記憶装置17に記憶されて保存される（ステップ46でYES，ステップ48）。ユーザは受信したレンズ情報を保存しない選択を行うこともできる。この場合には受信したレンズ情報はレンズ情報記憶装置17に記憶されずにレンズ情報登録処理は終了する（ステップ46でNO，ステップ47）。
【００６５】
レンズ情報記憶装置17に記憶された登録したいレンズ３のレンズ情報は，撮影用レンズ12に代えて登録したいレンズ３をカメラ本体１に装着したときに，上述した画像データの補正処理に用いることができる。
【実施例２】
【００６６】
図８は第１実施例の図４に対応するもので，第２実施例のレンズ情報登録システムを構成するカメラ１Ａおよびレンズ情報サーバ２Ａの電気的構成を示すブロック図である。図４に示す第１実施例のレンズ情報登録システムとは，文字列認識回路がレンズ情報サーバ２Ａに設けられておらず，カメラ本体１Ａに設けられている点が異なる。図４に示す第１実施例のカメラ１およびレンズ情報サーバ２と同じ構成部材には同一符号を付し，重複説明を省略する。
【００６７】
図９は図８に示す第２実施例のカメラ１Ａおよびレンズ情報サーバ２Ａにおいて，レンズ情報を上記レンズ情報サーバ２Ａからカメラ本体１Ａにダウンロードするときのカメラ本体１Ａとレンズ情報サーバ２Ａの処理の流れを示すフローチャートである。図７に示す第１実施例のカメラ１およびレンズ情報サーバ２の処理と同一処理には同一符号を付し，重複説明を避ける。
【００６８】
上述したように，第２実施例のレンズ情報登録システムではカメラ本体１Ａが文字列認識回路21を備えている。
【００６９】
第２実施例ではカメラ本体１Ａが備える文字列認識回路21によって，交換したいレンズ３の前面に印字されている文字列が認識される（ステップ49）。認識された文字列を表すデータがカメラ本体１Ａからレンズ情報サーバ２Ａに送信される（ステップ50）。レンズ情報サーバ２Ａはカメラ本体１Ａから受信した文字列データに基づいてレンズ情報を検索する（ステップ63）。
【実施例３】
【００７０】
図１０は第１実施例の図４に対応するもので，第３実施例のレンズ情報登録システムを構成するカメラ１およびレンズ情報サーバ２Ｂの電気的構成を示すブロック図である。図４に示す第１実施例のレンズ情報登録システムとは，レンズ情報サーバ２Ｂが備える文字列認識回路33Ａが，レンズ鏡筒（円筒）検出回路33ａおよび環状配置文字認識回路33ｂを含む点，ならびに検索回路34Ａが文字列補正回路34ａを含む点が異なる。
【００７１】
図１１は，登録したいレンズ３の前面画像を示すもので，レンズ情報サーバ２Ｂが備えるレンズ鏡筒（円筒）検出回路33ａにおいて検出される円形縁（エッジ）（破線で示す）３Ｄと，環状配置文字認識回路33ｂにおいて認識される環状範囲（太い実線で示す）３Ｃを示している。
【００７２】
レンズユニットの外形は円筒状であり，その前面（正面）は円形の形状を持つ。レンズ鏡筒（円筒）検出回路33ａはレンズユニットが備える形状を利用して，レンズユニットをその前面から撮影したときに得られる画像に含まれる円形のエッジを検出する。すなわちレンズ鏡筒（円筒）検出回路33ａは，与えられる登録したいレンズ３の前面を表す画像データを用いてエッジを検出し，検出されたエッジのうち円形の形状を持つエッジ３Ｄを抽出する処理を行う。
【００７３】
環状配置文字認識回路33ｂは，レンズ鏡筒（円筒）検出回路33ａにおいて検出された円形エッジから内側の所定幅の環状範囲の画像部分を，レンズ３の前面を表す画像データから切り出す（抽出する）回路である。レンズユニットの前面に印字されている文字列は，レンズユニットを前面から見たときの外周側に位置する。環状配置文字認識回路33bにおいて，文字列を表す画像が含まれる環状の画像部分３Ｃが切り出される。
【００７４】
文字列認識回路33Ａは，環状配置文字認識回路33ｂにおいて切り出される環状の画像部分３Ｃを処理対象として文字列を認識する。文字列認識の精度を高めることができる。
【００７５】
検索回路34Ａが備える文字列補正回路34ａは，上記文字列認識回路33Ａによって認識された文字列を補正する回路である。レンズユニットによっては，その前面に印字されている文字列の一部が消えかけていたり欠けてしまっていることができる。このような場合であっても文字列を認識することができるように文字列補正回路34ａは設けられている。
【００７６】
たとえば，文字列補正回路34ａにレンズユニットの前面に印字される典型的な文字列を辞書データとして持たせておくことが考えられる。たとえば，レンズユニットを提供しているメーカ名，たとえば「ＡＢＣＤ」を辞書データに記憶させておく。レンズユニットに印字されている「ＡＢＣＤ」のうちのＣが消えており，文字列認識回路33Ａによって認識された文字列が「ＡＢ  Ｄ」であった場合に，文字列補正回路34ａは辞書データを利用して「ＡＢ  Ｄ」の文字列部分を「ＡＢＣＤ」に補正する（文字「Ｃ」を補完する）。別の例を挙げると，レンズユニットに印字されている焦点距離の単位を表す「mm」のうちの一方の「m」の文字がレンズユニットの前面から消えてしまっており，「mm」でなく「m」が文字列として認識された場合，文字列補正回路34ａは「m」を「mm」に補正（文字補完）する。このようにすることで，レンズ情報の検索効率または精度を向上させることができる。
【００７７】
図１２は，図１０に示す第３実施例のカメラ１およびレンズ情報サーバ２Ｂにおいて，レンズ情報を上記レンズ情報サーバ２Ｂからカメラ本体１にダウンロードするときのカメラ本体１とレンズ情報サーバ２Ｂの処理の流れを示すフローチャートである。
【００７８】
上述したように，レンズ情報サーバ２Ｂのレンズ鏡筒（円筒）検出回路33ａにおいて，レンズ前面画像を用いて円形のエッジ３Ｄが検出され，さらに環状配置文字認識回路33ｂにおいて円形エッジ３Ｄから内側の所定幅の環状範囲の画像部分（文字列範囲）３Ｃが切り出される（ステップ71）。切り出された文字列範囲を処理対象として文字列が認識される（ステップ62）。
【００７９】
レンズ情報データベース31から認識された文字列が関連付けられているレンズ情報が検索される（ステップ63）。
【００８０】
認識された文字列が関連付けられているレンズ情報が見つからなかった場合，文字列補正回路34ａにおいて文字列が補正（補完）され，補正された文字列を用いて再度の検索が行われる（ステップ64でNO（１回目），ステップ72，ステップ63）。
【００８１】
文字列認識回路33Ａによって認識された文字列または文字列補正回路34において補正された文字列と同一の文字列が関連付けられているレンズ情報がレンズ情報データベース31から見つかった場合，見つかったレンズ情報がレンズ情報サーバ２Ｂからカメラ本体１に送信される（ステップ64でYES，ステップ66）。
【００８２】
文字列認識回路33Ａによって認識された文字列または文字列補正回路34において補正された文字列と同一の文字列が関連付けられているレンズ情報が見つからなかった場合には，認識された文字列データがレンズ情報サーバ２Ｂからカメラ本体１に送信される（ステップ64でNO（２回目））。この場合には認識された文字列を表すデータのみがカメラ本体１によって受信されて表示モニタ15に表示される（ステップ45Ａ）。認識された文字列を表すデータがレンズ情報記憶装置17に登録される（ステップ48Ａ）。
【００８３】
文字列認識回路33Ａによって認識された文字列または文字列補正回路34において補正された文字列と同一の文字列が関連付けられているレンズ情報が見つからなかった場合，認識された文字列または補正された文字列に類似する文字列を有するレンズ情報を検索して，一または複数のレンズ情報（レンズ情報候補）をカメラ本体１に送信するようにしてもよい。
【実施例４】
【００８４】
図１３は第４実施例のレンズ情報登録システムの全体構成を示している。図１４は第４実施例のレンズ情報登録システムを構成するカメラ本体１とレンズ情報サーバ２Ｃの電気的構成を示すブロック図である。図４に示す第１実施例とは，カメラ本体１に登録したいレンズ３が装着されている点およびレンズ情報サーバ２Ｃの文字列認識回路33Ｂが，鏡写し文字認識回路（鏡像反転処理回路）33ｃを備える点が異なる。
【００８５】
図１３を参照して，カメラ本体１に登録したいレンズ３が装着されている。登録したいレンズ３の前面を撮影するために鏡６が用いられる。鏡６に写った登録したいレンズ３の前面がカメラ本体１によって撮影される。
【００８６】
カメラ本体１によって撮影される登録したいレンズ３の前面は鏡６に写ったものであるので，鏡像反転した画像を表す画像データが取得される。図１４を参照して，鏡像反転した画像をさらに鏡像反転させて元の（鏡像反転していない）画像を作成するために，レンズ情報サーバ２Ｃの文字列認識回路33Ｂは鏡写し文字認識回路33ｃを備えている。鏡写し文字認識回路33ｃはカメラ本体１から送信された登録したいレンズ３の前面を表す画像データを鏡像反転処理する。鏡像反転した画像データが文字列認識回路33Ｂにおける文字列認識処理に用いられる。
【実施例５】
【００８７】
図１５は第５実施例のレンズ情報登録システムの全体構成を示している。図１６は第５実施例のレンズ情報登録システムを構成するカメラ本体１とレンズ情報サーバ２を，カメラ付き携帯電話７のブロック図とともに示している。図１７は第５実施例のレンズ情報登録システムにおいてレンズ情報をレンズ情報サーバ２からカメラ本体１にダウンロードするときの，カメラ付き携帯電話７，カメラ本体１およびレンズ情報サーバ２の処理の流れを示すフローチャートである。
【００８８】
第５実施例では，交換したいレンズ３の前面が，カメラ本体１ではなくカメラ付き携帯電話７によって撮影される。図１６を参照して，カメラ付き携帯電話７はカメラ（撮像装置）７Ａおよび外部通信回路７Ｂを備えている。図１７を参照して，カメラ付き携帯電話７によって撮影された交換したいレンズ３の前面を表す画像データが，カメラ付き携帯電話７からレンズ情報サーバ２にネットワーク４を介して送信される（ステップ43Ａ，44Ａ）。
【００８９】
図１８は，上述したレンズ情報サーバが備えるレンズ情報データベース31に記憶されるレンズ固有情報の他の例を示している。
【００９０】
図１８に示すように，レンズ情報データべース31に記憶されるレンズ固有情報31ａ２に含まれるレンズ情報として，レンズユニット単体のレンズ情報（レンズ機種データ，レンズ特性データおよびレンズ特性補正データ）に加えて，レンズユニットにテレコンバータレンズを装着したときのレンズ特性データおよびレンズ特性補正データ，ならびにレンズユニットにワイドコンバータレンズを装着したときのレンズ特性データおよびレンズ特性補正データを登録しておいてもよい。レンズ情報サーバからカメラ本体に，レンズユニット単体のレンズ情報に加えて，レンズユニットにテレコンバータレンズを装着したときのレンズ特性データおよびレンズ特性補正データ，ならびにレンズユニットにワイドコンバータレンズを装着したときのレンズ特性データおよびレンズ特性補正データをダウンロードすることができる。もちろん，これらのデータのうちの一部，たとえば，レンズユニットにテレコンバータレンズを装着したときのレンズ特性データおよびレンズ特性補正データのみを，ユーザの選択に応じて，カメラ本体に送信するようにしてもよい。
【実施例６】
【００９１】
上述した第１実施例〜第５実施例では，レンズ情報サーバが備えるレンズ情報データベース31にあらかじめ記憶されているレンズ情報が，レンズ情報サーバからカメラ本体にダウンロードされてカメラ本体に記憶される。以下の実施例では，さらに，カメラ本体において取得ないし生成されるレンズ情報が，カメラ本体からレンズ情報サーバにアップロードされてレンズ情報データベースに登録される。
【００９２】
図１９は第６実施例のレンズ情報登録システムの全体構成を示している。
【００９３】
第６実施例のレンズ情報登録システムでは，レンズ情報を登録すべきレンズ３が装着されたカメラ本体１Ｂが用いられて，外部モニタ８に表示されるレンズ特性取得用画像が撮影される。レンズ特性取得用画像を表すデータを用いてカメラ本体１Ｂにおいてレンズ情報（レンズ特性データおよびレンズ特性補正データ）が生成され，生成されたレンズ情報がネットワーク４を通じてレンズ情報サーバ２Ｄにアップロードされる。
【００９４】
図２０は第６実施例のレンズ情報登録システムを構成するカメラ本体１Ｂおよびレンズ情報サーバ２Ｄの電気的構成を示すブロック図である。カメラ本体１Ｂは，レンズ特性補正データ作成回路23およびレンズ特性データ作成回路24が設けられている点が，第１実施例のカメラ本体１（図４）と異なる。レンズ情報サーバ２Ｄは，データ登録回路35が設けられている点が，第１実施例のレンズ情報サーバ２（図４）と異なる。
【００９５】
レンズ特性補正データ作成回路23は，上述したレンズ特性補正データ（図６（Ｂ）参照）を作成する回路である。レンズ特性データ作成回路24は，上述したレンズ特性データ（図６（Ａ）参照）を作成する回路である。
【００９６】
レンズ特性データおよびレンズ特性補正データは，外部モニタ８に表示されるレンズ特性取得用画像を撮影することで生成される画像データ（レンズ特性取得用画像データ）に基づいて作成される。たとえば輝度シェーディングに関するレンズ特性データおよびレンズ特性補正データを作成する場合には，レンズ特性取得用画像として全体が一様な輝度分布を持つ画像が用いられる。全体が一様な輝度分布を持つレンズ特性取得用画像を撮影することによって生成される画像データを用いて輝度特性を表すテーブル（図６（Ａ）と同様のテーブル）が作成される。
【００９７】
レンズ特性補正データは，たとえば，上記レンズ特性データ作成回路24によって作成されるレンズ特性データが表す登録したいレンズ３に固有の特性を無くす（レンズ３に固有の特性の影響が生じないようにする）観点から作成される。この場合には，レンズ特性データ作成回路24によって作成されるレンズ特性データ（数値）のたとえば逆数が用いられて，レンズ特性データを補正するための数値を格納したテーブル（図６（Ｂ）参照）がレンズ特性補正データ作成回路23において作成される。
【００９８】
作成されたレンズ特性データおよびレンズ特性補正データは，カメラ本体１Ｂからレンズ情報サーバ２Ｄに送信される。レンズ情報サーバ２Ｄが備えるデータ登録回路35によって，カメラ本体１Ｂからのレンズ特性データおよびレンズ特性補正データがレンズ情報データベース31に登録される。
【００９９】
図２１は第６実施例のレンズ情報登録システムにおけるカメラ本体１Ｂとレンズ情報サーバ２Ｄの処理を示すフローチャートである。図７に示す第１実施例のレンズ情報登録システムにおけるカメラ１およびレンズ情報サーバ２の処理と同じ処理には同一符号を付し，重複説明を避ける。
【０１００】
上述したように，外部モニタ８に表示されるレンズ特性取得用画像が撮影される（ステップ51）。レンズ特性取得用画像データが生成される。
【０１０１】
生成されたレンズ特性取得用画像データに基づいて，上述したように，レンズ特性データ生成回路24においてレンズ特性データが生成され，かつレンズ特性補正データ生成回路23においてレンズ特性補正データが生成される（ステップ52，53）。
【０１０２】
レンズ前面を表す画像データ（たとえば，あらかじめカメラ付き携帯電話７を用いて登録したいレンズ３の前面を撮影して取得したもの），ならびに生成されたレンズ特性データおよびレンズ特性補正データが，ネットワーク４を通じてカメラ本体１Ｂからレンズ情報登録サーバ２Ｄに送信される（ステップ54）。作成されたレンズ特性データおよびレンズ特性補正データはレンズ情報記憶装置17に登録される（ステップ55）。
【０１０３】
レンズ前面を表す画像データ，レンズ特性データおよびレンズ特性補正データを受信したレンズ情報サーバ２Ｄは，レンズ前面を表す画像データを用いて上述したように文字列を認識してレンズ情報データベース31に記憶されているレンズ情報を検索する（ステップ61Ａ，62，63）。レンズ情報サーバ２Ｄは，検索によって見つけられたレンズ情報に，カメラ本体１Ｂから送信されたレンズ特性データおよびレンズ特性補正データを追加登録する（ステップ74）。これによりレンズ情報データベース31には，登録したいレンズ３について，あらかじめ記憶されているレンズ特性データおよびレンズ特性補正データに加えて，カメラ本体１Ｂによって生成されたレンズ特性データおよびレンズ特性補正データもダウンロード可能に登録されることになる。
【０１０４】
外部モニタ８の表示画面は多数の画素が配列されて構成されているものである。このため，カメラ本体１Ｂによって外部モニタ８の表示画面に表示されているレンズ特性取得用画像を撮像すると，撮像によって得られる画像データによって表される画像にモアレが発生することがある。レンズ特性取得画像を表す画像データがモアレを含むものである場合，適切なレンズ特性データを取得できない可能性が生じる。
【０１０５】
モアレの発生を無くすまたは抑制する対策としていくつかの方策が考えられる。
【０１０６】
その一は，図２２に示すように，外部モニタ８の表示画面にぼかし用フィルタ（ローパスフィルタ）８Ａを装着することである。
【０１０７】
その二は，カメラ本体１Ｂのオートフォーカス機能を機能させずに，焦点が合わせられていない状態でレンズ特性取得用画像を撮像することである。この場合には，図２３に示すように，レンズ特性取得用画像の撮影に先立って，外部モニタ８にマーカ（黒点）８ｄを表示し，カメラ本体１Ｂの表示モニタ15にあらかじめ定められるぼかし量を示すアシスト枠15ａを表示してもよい。アシスト枠15ａは，外部モニタ８に表示されるマーカ８ｄを撮像することで得られるマーカ画像15cの周囲に表示される。マーカ画像15cがアシスト枠15ａに合致するようにデフォーカス操作することで，適切な量のぼかし（デフォーカス）が行われる。
【０１０８】
その三は，図２４に示すように，カメラ本体１Ｃが手ぶれ補正のための撮像素子シフト装置13ａを備える場合に，上記撮像素子シフト装置13ａを強制的に作動させることである。撮像素子シフト装置13ａによってレンズ特性取得用画像の撮影時にぶれが生じるので，これによってモアレの発生を無くすないしは抑制することができる。
【実施例７】
【０１０９】
図２５は第７実施例のレンズ情報登録システムにおいて用いられるカメラ本体１Ｄおよびレンズ情報サーバ２Ｄの電気的構成を示すブロック図である。図２２に示すものとは，カメラ本体１Ｄが，カメラ撮影タイミング生成回路25，外部モニタ画面切替タイミング生成回路26および外部モニタ表示画像生成回路27を備えている点，ならびにカメラ本体１Ｄの外部通信回路20が，外部モニタ８が備える外部通信回路８Ｂに通信ケーブル等によって接続されている点が異なる。
【０１１０】
図２６は，第７実施例のレンズ情報登録システムにおいて，カメラ本体１Ｄから外部モニタ８に与えられるタイミング信号Ｔｓの出力タイミングと，外部モニタ８に表示されるレンズ特性取得用画像のカメラ本体１Ｄによる撮影タイミングとを示すタイミング図である。
【０１１１】
カメラ本体１Ｄの外部モニタ表示画像生成回路27は，複数種類のレンズ特性取得用画像を表すデータを生成して記憶する回路である。この実施例では３種類のレンズ特性取得用画像８ａ１，８ａ２，８ａ３が用意されるものとする。３種類のレンズ特性取得用画像８ａ１，８ａ２，８ａ３を表すデータは，カメラ本体１から表示モニタ８に与えられ，表示モニタ８が備えるメモリ（図示略）に記憶される。
【０１１２】
カメラ本体１Ｄの外部モニタ画面切替タイミング生成回路26は，表示モニタ８に表示される３種類のレンズ特性取得用画像８ａ１，８ａ２，８ａ３の表示を切り換えるための切替タイミング信号Ｔｓを生成する。生成される切替タイミング信号Ｔｓはカメラ本体１Ｄから外部モニタ８に送信される。外部モニタ８は，与えられる切替タイミング信号Ｔｓにしたがって，表示モニタ８に表示するレンズ特性取得画像の種類を切り換える。
【０１１３】
さらにカメラ本体１Ｄのカメラ撮影タイミング生成回路25は，上述した外部モニタ画面切替タイミング生成回路26が生成する切替タイミング信号Ｔｓの出力から所定の遅延時間ｔを経たときに，撮影タイミング信号を生成して信号処理装置11に供給する回路である。撮影タイミング信号が入力された信号処理装置11はそのタイミングで被写体像を撮影するように撮像素子13等を制御する。
【０１１４】
図２６を参照して，カメラ本体１Ｄの外部モニタ画面切替タイミング生成回路26が生成した切替タイミング信号Ｔｓが外部モニタ８に与えられると，外部モニタ８の表示画面上に表示されるレンズ特性取得用画像の表示の切り替えが行われる。切替タイミング信号Ｔｓの生成から所定の遅延時間ｔが経過したとき，カメラ撮影タイミング生成回路25は撮影タイミング信号を生成して信号処理装置11に与える。
【０１１５】
はじめにレンズ特性取得用画像８ａ１が撮影される。レンズ特性取得用画像８ａ１の撮影を終えると，外部モニタ切替タイミング生成回路26は次の切替タイミング信号Ｔｓを生成する（撮影が終えた旨を表すデータを信号処理装置11から外部モニタ切替タイミング生成回路26に与えてもよい）。切替タイミング信号Ｔｓが外部モニタ８に与えられることで，外部モニタ８はレンズ特性取得用画像８ａ１に代えて，別のレンズ特性取得用画像８ａ２を表示する。
【０１１６】
切替タイミング信号Ｔｓの生成から所定の遅延時間ｔが経過したとき，カメラ撮影タイミング生成回路25は撮影タイミング信号を生成して信号処理装置11に与える。レンズ特性取得用画像８ａ２が撮影される。同様にして，レンズ特性取得用画像８ａ３の撮影も行われる。このようにして，複数種類のレンズ特性取得用画像８ａ１〜８ａ３の撮影が自動的に行われる。
【実施例８】
【０１１７】
外部モニタ８に表示させたレンズ特性取得用画像８ａ１〜８ａ３をカメラ本体で撮像する場合，外光が外部モニタ８に入射すると，カメラ本体で撮影されて得られる画像データも外光の影響を受けたものとなり，適切なレンズ特性取得用画像８ａ１〜８ａ３を表す画像データを取得できない可能性がある。
【０１１８】
第８実施例では，レンズ特性取得用画像の撮影に先立って，キャリブレーション画像（黒画像）を外部モニタ８に表示し，それをカメラ本体で撮像することで外部モニタ８の光の写り込み分布を検出し，検出した光写り込み分布に応じて，その後にカメラ本体１によって撮影されるレンズ特性取得用画像を表す画像データを補正する処理が行われる。
【０１１９】
図２７は第８実施例のレンズ登録システムに用いられるカメラ本体１Ｅおよびレンズ情報サーバ２Ｄのブロック図である。図２５に示す第７実施例のレンズ登録システムのブロック図とは，カメラ本体１Ｅが外部モニタへの写り込み検出およびキャリブレーション回路28（以下，キャリブレーション回路28という）を備えている点が異なる。
【０１２０】
図２８は，第８実施例のレンズ情報登録システムにおいて，カメラ本体１Ｅから外部モニタ８に与えられるタイミング信号Ｔｓの出力タイミングと，外部モニタ８に表示されるキャリブレーション画像およびレンズ特性取得用画像のカメラ本体１Ｅによる撮影タイミングと，カメラ本体１Ｅが備えるキャリブレーション回路28による処理を示している。
【０１２１】
カメラ本体１Ｅの外部モニタ画面切替タイミング生成回路26が生成した切替タイミング信号Ｔｓが外部モニタ８に与えられると，はじめにキャリブレーション画像（黒画像）８ｂが外部モニタ８の表示画面に表示される。切替タイミング信号Ｔｓの生成から所定の遅延時間ｔが経過したとき，カメラ撮影タイミング生成回路25は撮影タイミング信号を生成して信号処理装置11に与える。キャリブレーション画像８ｂが撮影される。
【０１２２】
キャリブレーション画像８ｂを表す画像データは，キャリブレーション回路28に与えられる。キャリブレーション回路28は，キャリブレーション画像８ｂを表す画像データに基づいて光写り込み分布データ（輝度分布データ）を作成する。光写り込み分布データはキャリブレーション画像８ｂを表す画像データが持つ多数の画素値に基づいて作成され，たとえば図６（Ａ）に示す輝度特性テーブルＤ４と同様のテーブルが作成される。キャリブレーション画像８ｂは輝度値が一様な黒画像である。外部モニタ８の表示画面が外光の影響を受けていなければ，カメラ本体１Ｅによって撮影されることで得られるキャリブレーション画像８ｂを表す画像データから作成される光写り込み分布データ（輝度分布データ）も一様（同じ値）となるはずである。外部モニタ８の表示画面が外光の影響を受けていると，カメラ本体１Ｅによって撮影されることで得られるキャリブレーション画像８ｂを表す画像データは一様な輝度値を持たない（分布が一様にならない）。このように，キャリブレーション回路28によって作成される光写り込み分布データは，外部モニタ８の表示画面への光の写り込みの様子を表すものとなる。
【０１２３】
キャリブレーション画像８ｂの撮影を終えると，外部モニタ画面切替タイミング生成回路26は次の切替タイミング信号Ｔｓを生成して出力する。切替タイミング信号Ｔｓが外部モニタ８に与えられることで，外部モニタ８はキャリブレーション画像８ｂに代えてレンズ特性取得用画像８ａ１を表示する。切替タイミング信号Ｔｓの生成から所定の遅延時間ｔが経過したとき，レンズ特性取得用画像８ａ１が撮影される。
【０１２４】
レンズ特性取得用画像８ａ１は外部モニタ８の表示画面に表示される画像であるから，外部モニタ８への光の写り込みを含むものがカメラ本体１Ｅによって撮影される可能性がある。そこで，カメラ本体１Ｅによる撮影によって得られたレンズ特性取得用画像８ａ１を表す画像データに対して，上述した光写り込み分布データを用いた輝度補正処理が，キャリブレーション回路28において行われる。たとえば，キャリブレーション画像８ｂを撮影することで作成された光写り込み分布データ（図６（Ａ）参照）の逆数（図６（Ｂ）参照）が算出され，この逆数が，カメラ本体１Ｅによる撮影によって得られたレンズ特性取得用画像８ａ１を表す画像データに対して乗算される。カメラ本体１Ｅによる撮影によって得られたレンズ特性取得用画像８ａ１を表す画像データから，光の写り込みの影響が除去される。
【０１２５】
キャリブレーション回路28による処理を終えたレンズ特性取得用画像８ａ１を表す画像データがレンズ特性データ生成回路24に与えられる。外部モニタ８への光の写り込みの影響が除去されたレンズ特性取得用画像８ａ１を表すデータがレンズ特性データの生成に用いられるから，精度のよいレンズ特性データの算出を期待することができる。
【０１２６】
レンズ特性取得用画像８ａ１の撮影を終えると，外部モニタ画面切替タイミング生成回路26は次の切替タイミング信号Ｔｓを生成して出力する。切替タイミング信号Ｔｓが外部モニタ８に与えられることで，外部モニタ８はレンズ特性取得用画像８ａ１に代えて，キャリブレーション画像８ｂを表示する。上述の処理が繰り返される。
【０１２７】
なお，キャリブレーション回路28によって作成される光写り込み分布データ（輝度分布データ）が大きな輝度変動を表す場合には，「環境を変えてください」といったメッセージをカメラ本体１Ｅの表示モニタ15に表示して，外部モニタ８への光の写り込みが多すぎることをユーザに警告するようにしてもよい。
【０１２８】
外部モニタ８に表示されるレンズ特性取得用画像をカメラ本体によって撮像する場合には，外部モニタ８の表示画面をその正面から撮影するのが好ましい。図２９に示すように外部モニタ８に位置合わせ用マーカ８ｃを表示し，カメラ本体１の表示モニタ15に位置合わせ用ガイド枠15ｂを被写体像に重畳して表示するようにしてもよい。位置合わせ用マーカ８ｃと位置合わせ用ガイド枠15ｂとが重なり合うようにカメラ本体１の位置を調整することで，外部モニタ８の表示画面を正面から適切に撮影することができる。
【実施例９】
【０１２９】
レンズ特性補正データ作成回路23において，補正の程度を異ならせたレンズ特性補正データを複数作成してもよい。第９実施例では，レンズ特性補正データ作成回路23において，一のレンズユニットについて複数のレンズ特性補正データが作成される。
【０１３０】
複数のレンズ特性補正データとしては，上述したように，レンズ特性データ作成回路24によって作成されるレンズ特性データが表す登録したいレンズ３に固有の特性を無くす（レンズ３に固有の特性の影響が生じないようにする）観点から作成されるもの（図６（Ｂ））を含ませるとともに，たとえば，登録したいレンズ３に固有の特性を弱める観点から作成されるものを含ませることができる。
【０１３１】
図３０（Ａ）〜（Ｃ）は，図６（Ａ）〜（Ｃ）に対応するもので，レンズユニットに固有のレンズ特性を弱めるためのレンズ特性補正データ（図３０（Ｂ）（Ｄ13〜Ｄ16）が示されている。図３０（Ａ）に示すレンズユニットのレンズ特性データに図３０（Ｂ）に示すレンズ特性補正データを乗算することによって，レンズユニットが持つレンズ特性（ここでは輝度シェーディング特性）を弱める補正後のレンズ特性データが得られる（図３０（Ｃ），Ｄ１７〜Ｄ20）。図３０（Ｂ）に示すレンズ特性補正データをカメラ本体によって撮像された画像データの補正に用いることで，カメラ本体に装着されているレンズユニットに固有の特性を少し残した画像データを得ることができる。
【０１３２】
複数のレンズ特性補正データの一つとして，図３１（Ｂ）に示すように，フラットな補正データ（ゲイン量がすべて１．００）を用いることも可能である（Ｄ21〜Ｄ24）。この場合，レンズ特性データ（図３１（Ａ））と補正後のレンズ特性データ（図３１（Ｃ），Ｄ25〜28）は同じになる。
【符号の説明】
【０１３３】
１，１Ａ，１Ｂ，１Ｃ，１Ｅ  カメラ本体
２，２Ａ，２Ｂ，２Ｃ，２Ｄ  レンズ情報サーバ
３，12  レンズユニット
４  ネットワーク
11  信号処理装置
13  撮像素子
15  表示モニタ
17  レンズ情報記憶装置
20，32  外部通信回路
21，33  文字列認識回路
31  レンズ情報データベース
33ａ  レンズ鏡筒（円筒）検出回路
33ｂ  環状配置文字認識回路
34  検索回路
34ａ  文字列補正回路
【図１】
2014183565.tif 000003
【図２】
2014183565.tif 000004
【図３】
2014183565.tif 000005
【図４】
2014183565.tif 000006
【図５】
2014183565.tif 000007
【図７】
2014183565.tif 000008
【図８】
2014183565.tif 000009
【図９】
2014183565.tif 000010
【図１０】
2014183565.tif 000011
【図１１】
2014183565.tif 000012
【図１２】
2014183565.tif 000013
【図１３】
2014183565.tif 000014
【図１４】
2014183565.tif 000015
【図１５】
2014183565.tif 000016
【図１６】
2014183565.tif 000017
【図１７】
2014183565.tif 000018
【図１８】
2014183565.tif 000019
【図１９】
2014183565.tif 000020
【図２０】
2014183565.tif 000021
【図２１】
2014183565.tif 000022
【図２４】
2014183565.tif 000023
【図２５】
2014183565.tif 000024
【図２６】
2014183565.tif 000025
【図２７】
2014183565.tif 000026
【図２８】
2014183565.tif 000027
【図６】
2014183565.tif 000028
【図２２】
2014183565.tif 000029
【図２３】
2014183565.tif 000030
【図２９】
2014183565.tif 000031
【図３０】
2014183565.tif 000032
【図３１】
2014183565.tif 000033